(57)【要約】【課題】前記Ｕ字状の陰極管が取り付けられえる部分を簡単な形状で形成することで、取付用の部材を減らすとともに、金型の形状も簡略化することができ、製造コストを低減する。【解決手段】第２支持部４２はコの字状の枠体４２１と、係止部４３と、係止部４３をはさんで配置された台座部４２２とを有している。長管部３０１の短管部３０２との接続部近傍は、コの字状の枠体４２１と側部が当接し、短管部３０２は上部が台座部４２２の曲面４２３と当接するとともに、下部が係合部４３２の曲面４３３と当接することで支持されている。【選択図】図３
2008116494.tif 000002
【特許請求の範囲】
【請求項１】
長方形状の底面を備えた金属製のリヤフレームと、
前記リヤフレームに取り付けられた反射シートと、
互いに平行する２本の長尺の長管部と、前記長管部どうしを接続する短尺の短管部とを備えた複数本の陰極管を有するバックライトと、
長方形の枠状であり、一方の短辺を形成する枠体の下面に形成された前記長管部の先端及び該先端に取り付けられたホルダを支持する第１支持部と、他方の短辺を形成する枠体の下面に形成され、前記短管部及び前記長管部の該短管部との接続部近傍を支持する第２支持部とを備え、前記リヤフレームに内挿されたメインフレームと、
前記メインフレームの上部に配置された拡散板と、
前記拡散板に重ねて配置された２枚の拡散シートと、
前記メインフレームの上部に配置され、透明電極が配設された一対のガラス基板間に液晶が封入された液晶セルと、
中央に形成された開口部を備えたベゼルとを有する液晶表示装置であって、
前記第２支持部は、前記陰極管の前記短管部及び該短管部につながる前記長管部の一部を側方より囲むコの字状の枠体と、前記枠体で囲まれた部分の中央に配置され下方に伸びる保持部及び前記保持部の先端より前記第１支持部と反対側に延伸する係合部とを備えた係止部と、前記枠体で囲まれた部分に、前記係止部をはさんで下方に突出するように形成された一対の台座部とを有しており、
前記係合部は上面に曲率半径が前記短管部の外周の半径と同じである曲面を有し、先細の段差形状で形成されており、
前記台座部は下面に曲率半径が前記短管部の外周の半径と同じである曲面を有し、前記枠体の内部側が低い段差形状で形成されており、
前記長管部の前記短管部との接続部近傍が前記枠体に当接され、前記短管部の上方が前記台座部の曲面に係合され、下方が前記係合部の曲面と係合されていることを特徴とする液晶表示装置。
【請求項２】
長方形状の底面を備えた金属製のリヤフレームと、
前記リヤフレームに取り付けられた反射シートと、
互いに平行する２本の長尺の長管部と、前記長管部どうしを接続する短尺の短管部とを備えた複数本の陰極管を有するバックライトと、
長方形の枠状であり、一方の短辺を形成する枠体の下面に形成された前記長管部の先端及び該先端に取り付けられたホルダを支持する第１支持部と、他方の短辺を形成する枠体の下面に形成され、前記短管部及び前記長管部の該短管部との接続部近傍を支持する第２支持部とを備え、前記リヤフレームに内挿されたメインフレームと、
前記メインフレームの上部に支持された拡散板と、
前記拡散板に重ねて配置された２枚の拡散シートと、
前記メインフレームの上部に配置され、透明電極が配設された一対のガラス基板間に液晶が封入された液晶セルと、
中央に形成された開口部を備えたベゼルとを有する液晶表示装置であって、
前記第２支持部は、前記陰極管の前記短管部及び該短管部につながる前記長管部の一部を側方より囲むコの字状の枠体と、前記枠体で囲まれた部分の中央に配置され下方に伸びる保持部及び前記保持部の先端より前記第１支持部と反対側に延伸する係合部とを備えた係止部と、前記枠体で囲まれた部分に、前記係止部をはさんで下方に突出するように形成された一対の台座部とを有しており、
前記係合部は上面に曲率半径が前記短管部の外周の半径と同じである曲面を有しており、
前記台座部は下面に曲率半径が前記短管部の外周の半径と同じである曲面を有し、前記枠体の内部側が低い段差形状で形成されており、
前記長管部の前記短管部との接続部近傍が前記枠体に当接され、前記短管部の上方が前記台座部の曲面に係合され、下方が前記係合部の曲面と係合されていることを特徴とする液晶表示装置。
【請求項３】
長方形状の底面を備えた金属製のリヤフレームと、
前記反射シートの上方に配置され、互いに平行する２本の長尺の長管部と、前記長管部どうしを接続する短尺の短管部とを備えた複数本の陰極管を有するバックライトと、
長方形の枠状であり、一方の短辺を形成する枠体の下面に形成された前記長管部の先端及び該先端に取り付けられたホルダを支持する第１支持部と、他方の短辺を形成する枠体の下面に形成され、前記Ｕ字状の折り返し部及び前記長管部の該Ｕ字状の折り返し部近傍を支持する第２支持部とを備え、前記リヤフレームに内挿されたメインフレームとを有する液晶表示装置であって、
前記第２支持部は、前記陰極管の前記短管部及び該短管部につながる前記長管部の一部を側方より囲むコの字状の枠体と、前記枠体で囲まれた部分の中央に配置され下方に伸びる保持部及び前記保持部の先端より前記第１支持部と反対側に延伸する係合部とを備えた係止部と、前記枠体で囲まれた部分に、前記係止部をはさんで下方に突出するように形成された一対の台座部とを有しており、
前記係合部は上面に曲率半径が前記短管部の外周の半径と同じである曲面を有しており、
前記Ｕ字形状の折り返し部は、前記長管部が前記枠体に当接され、前記折り返し部の上方が前記台座部と当接されるとともに、下方が前記係合部の曲面と係合されていることを特徴とする液晶表示装置。
【請求項４】
前記Ｕ字状の折り返し部は前記長管部に対して直交して配置され、該長管部を一体的に接続する短管部を備えており、
前記短管部の上方が前記台座と当接されるとともに、下方が前記係合部の曲面と係合されていることを特徴とする請求項３に記載の液晶表示装置。
【請求項５】
前記係合部は先端が先細の形状を有していることを特徴とする請求項３又は請求項４に記載の液晶表示装置。
【請求項６】
前記台座部は下面に前記短管部の外周の半径と同じ曲率半径を有する曲面を有し、前記長管部の伸びる方向と反対側が低い段差形状に形成されており、
前記短管部の下部が前記台座部の曲面と当接していることを特徴とする請求項３から請求項５のいずれかに記載の液晶表示装置。
【発明の詳細な説明】
【技術分野】
【０００１】
本発明は、液晶表示装置に関するものであり、より詳しくは、背面に配置された光源であるバックライトの取付構造に関するものである。
【背景技術】
【０００２】
液晶表示装置は、薄型、軽量、低消費電力であり、ノートＰＣ、ＰＣ用モニタ、家庭用ＴＶ受像機等に広く用いられている。前記液晶表示装置は、バックライトより出射された光を液晶セルに透過させ、映像を形成するものである。前記液晶表示装置は前記バックライトから出射された光を反射する反射シート、前記バックライトから出射された光及び前記反射シートで反射された光を拡散させるための拡散板及び前記拡散板と重ねて配置され光の拡散効果を高めるための拡散シート等の光学部材を備えている。
【０００３】
図７は従来の液晶表示装置の分解斜視図であり、図８は図７に示す液晶表示装置のバックライトの取付部を拡大した底面図である。図７に示す液晶表示装置はリヤフレーム１、反射シート２、バックライト３、メインフレーム９、拡散板５、拡散シート６、液晶セル７、ベゼル８がこの順番に積層されている。
【０００４】
リヤフレーム１は金属板を切り曲げて形成されているものであり、矩形状の底面１１と、底面１１の長辺の短部より、外側に向けて斜めに立ち上がる立ち上がり部１２と、底面１１と平行になるように立ち上がり部１２の先端と一体に形成された支持部１３とが形成されている。
【０００５】
反射シート２はリヤフレーム１に取り付けられるものであり、バックライト３より出射される光のうちケース１側に向けて出射される光を液晶セル６側に反射するためのものである。
【０００６】
バックライト３は液晶表示装置の光源であり、それには限定されないがここではＵ字状の折り返し部を有する陰極管３０と、陰極管３０の開口部をふさぐためのソケット３１とを有している。
【０００７】
メインフレーム９は、リヤフレーム１内に挿入される矩形枠状を有するものであり、下部（リヤフレーム１側）に開口部及び開口部に取り付けられたソケット３１が挿入される第１支持部（図示省略）と、Ｕ字状の折り返し部が挿入される第２支持部９２とを有している。
【０００８】
メインフレーム９の上部は、段差を有しており、拡散板５及び拡散シート６はこの段差部に挿入されることで、取り付けられる。さらに、メインフレーム９の上部には拡散シート６と接触しないように液晶セル７を配置するためのスペーサが形成されている。
【０００９】
拡散板５及び拡散シート６は矩形状を有しており、反射シート２で反射された光及びバックライト３より出射された光を拡散させる部材である。拡散板５はメインフレーム９に形成されている段差部に係合されている。拡散板５はバックライト３より出射された光及び反射シート２にて反射された光の強度を均一化するものである。拡散シート６は拡散板５からの光の強度をより均一化するためのものである。
【００１０】
拡散板５及び拡散シート６で拡散された光は液晶セル７に照射される。液晶セル７は透明電極が配置されたガラス基板の間に液晶が封入されている。液晶セル７は長方形状を有しており、一方のガラス基板の一方の長辺部にはゲートドライバが取り付けられたゲート基板７１がフレキシブル基板７０を介して取り付けられている。また、他方のガラス基板の一方の短辺部にはソースドライバが取り付けられたソース基板７２がフレキシブル基板７０を介して取り付けられている。
【００１１】
ベゼル８は中央に形成された開口部８０を有している。液晶セル７はベゼル８の開口部８０より露出しており、その露出している部分が表示領域になるように形成されている。
【００１２】
図８に示すように陰極管のＵ字状の折り返し部にはランプホルダ９３が取り付けられている。陰極管３０のＵ字状の折り返し部はランプホルダ９３が取り付けられた状態で、第２支持部９２に挿入されることで、陰極管３０はずれたり、振動したりしないように第２支持部９２に取り付けられる（特開２００６−１７１１６７号公報、特開２００４−３４２３３５号公報等参照）。
【００１３】
また、特開平７−２７０７８６号公報に記載の発明には、ランプハウスに形成された弾性係止片を用いて、蛍光ランプの屈曲部を係止するものが示されている。このように、前記係止片を用いることで、ランプホルダを省略することが可能である。
【００１４】
さらに、特開平４−４７６０３号広報に記載の発明には、ケーシングに一体に形成された押え片と弾性ホルダではさんで、蛍光ランプを保持するものが示されている。
【００１５】
【特許文献１】特開２００６−１７１１６７号公報
【特許文献１】特開２００４−３４２３３５号公報
【特許文献１】特開平７−２７０７８６号公報
【特許文献１】特開平４−４７６０３号公報
【発明の開示】
【発明が解決しようとする課題】
【００１６】
しかしながら、前記ランプホルダを前記陰極管に取り付け、前記陰極管のＵ字状の折り返し部をメインフレームに取り付けるものの場合、ランプホルダを別途準備しなくてはならず、部材点数が増える。また、前記ランプホルダを前記陰極管に取り付けるための手間も増えるため、製造にかかる手間と時間がかさみ、製造コストが増える。
【００１７】
また、特開平７−２７０７８６号広報に記載の発明では、前記ランプホルダを省略することができ、それだけ、製造コストを低減することができるが、前記蛍光ランプの前記ランプハウスに沿う方向の移動を制限することができない。つまり、前記蛍光ランプに前記ランプハウスに沿う方向に力が付勢されると、該蛍光ランプがずれたり、振動したりし、バックライトの性能が低下することがある。
【００１８】
また、特開平４−４７６０３号公報に記載の発明では、前記弾性ホルダを蛍光ランプに取り付けなくてもよく、それだけ、手間が省けるが、前記弾性ホルダを準備しなくてはならず、部品点数がふえる。
【００１９】
そこで本発明は、少ない部材でＵ字状の陰極管を、ずれたり、振動したりしないように、取り付けることができる液晶表示装置を提供することを目的とする。
【００２０】
また本発明は、前記Ｕ字状の陰極管が取り付けられえる部分を簡単な形状で形成することで、取付用の部材を減らすとともに、金型の形状も簡略化することができ、それだけ、製造コストを低減することができる液晶表示装置を提供することを目的とする。
【課題を解決するための手段】
【００２１】
上記目的を達成するために本発明は、長方形状の底面を備えた金属製のリヤフレームと、前記反射シートの上方に配置され、互いに平行する２本の長尺の長管部と、前記長管部どうしを接続する短尺の短管部とを備えた複数本の陰極管を有するバックライトと、長方形の枠状であり、一方の短辺を形成する枠体の下面に形成された前記長管部の先端及び該先端に取り付けられたホルダを支持する第１支持部と、他方の短辺を形成する枠体の下面に形成され、前記Ｕ字状の折り返し部及び前記長管部の該Ｕ字状の折り返し部近傍を支持する第２支持部とを備え、前記リヤフレームに内挿されたメインフレームとを有する液晶表示装置であって、前記第２支持部は、前記陰極管の前記短管部及び該短管部につながる前記長管部の一部を側方より囲むコの字状の枠体と、前記枠体で囲まれた部分の中央に配置され下方に伸びる保持部及び前記保持部の先端より前記第１支持部と反対側に延伸する係合部とを備えた係止部と、前記枠体で囲まれた部分に、前記係止部をはさんで下方に突出するように形成された一対の台座部とを有しており、前記係合部は上面に曲率半径が前記短管部の外周の半径と同じである曲面を有しており、前記Ｕ字形状の折り返し部は、前記長管部が前記枠体に当接され、前記折り返し部の上方が前記台座部と当接されるとともに、下方が前記係合部の曲面と係合されていることを特徴とする。
【００２２】
この構成によると、Ｕ字状の折り返し部を、前記第２支持部でそのまま支持することができ、支持部材を省略することが可能である。これにより、構成部材の点数を減らすことができ、製造のための時間及び手間を省くことができる。また、そのことで、製造コストを低減することが可能である。
【００２３】
また、この構成によると、前記第２支持部にて前記長管部を押えるので、前記陰極管のずれ、振動等を効果的に抑制することが可能であるので、前記陰極管のずれ、振動により液晶セルの画像表示精度が低下するのを抑制することができる。
【００２４】
さらに、前記係合部の曲面が該係合部の中間部に形成されており、前記陰極管を摺動させることで、前記曲面と当接させることができるので、取付工程が簡単であり、それだけ、製造工程における作業者の習熟度による組み立てのばらつきが出にくい。このことにより、性能が安定した液晶表示装置を製造することができる。
【００２５】
上記構成において、前記Ｕ字状の折り返し部は前記長管部に対して直交して配置され、該長管部を一体的に接続する短管部を備えており、前記短管部の上方が前記台座と当接されるとともに、下方が前記係合部の曲面と係合されているものであってもよい。
【００２６】
上記構成において、前記係合部は先端が先細の形状を有していてもよい。このことにより、前記陰極管のＵ字状の折り返し部を前記第２支持部に取り付けるときに、前記係止部を弾性変形させなくても良く、前記係止部及び前記陰極管の破損を抑制することが可能である。また、取付が容易であり、それだけ、製造時間を短縮することも可能である。
【００２７】
上記構成において、前記台座部は下面に前記短管部の外周の半径と同じ曲率半径を有する曲面を有し、前記長管部の伸びる方向と反対側が低い段差形状に形成されており、前記短管部の下部が前記台座部の曲面と当接しているものであってもよい。
【００２８】
この構成によると、前記Ｕ字状の折り返し部の前記長管部方向にかかる力を分散することが可能であり、それだけ、前記陰極管の破損を低減することが可能である。
【００２９】
本発明にかかる液晶表示装置のさらに詳細な例は、以下に示すものであってもよい。すなわち、長方形状の底面を備えた金属製のリヤフレームと、前記リヤフレームに取り付けられた反射シートと、互いに平行する２本の長尺の長管部と、前記長管部どうしを接続する短尺の短管部とを備えた複数本の陰極管を有するバックライトと、長方形の枠状であり、一方の短辺を形成する枠体の下面に形成された前記長管部の先端及び該先端に取り付けられたホルダを支持する第１支持部と、他方の短辺を形成する枠体の下面に形成され、前記短管部及び前記長管部の該短管部との接続部近傍を支持する第２支持部とを備え、前記リヤフレームに内挿されたメインフレームと、前記メインフレームの上部に配置された拡散板と、前記拡散板に重ねて配置された２枚の拡散シートと、前記メインフレームの上部に配置され、透明電極が配設された一対のガラス基板間に液晶が封入された液晶セルと、中央に形成された開口部を備えたベゼルとを有する液晶表示装置であって、前記第２支持部は、前記陰極管の前記短管部及び該短管部につながる前記長管部の一部を側方より囲むコの字状の枠体と、前記枠体で囲まれた部分の中央に配置され下方に伸びる保持部及び前記保持部の先端より前記第１支持部と反対側に延伸する係合部とを備えた係止部と、前記枠体で囲まれた部分に、前記係止部をはさんで下方に突出するように形成された一対の台座部とを有しており、前記係合部は上面に曲率半径が前記短管部の外周の半径と同じである曲面を有し、先細の段差形状で形成されており、前記台座部は下面に曲率半径が前記短管部の外周の半径と同じである曲面を有し、前記枠体の内部側が低い段差形状で形成されており、前記長管部の前記短管部との接続部近傍が前記枠体に当接され、前記短管部の上方が前記台座部の曲面に係合され、下方が前記係合部の曲面と係合されていることを特徴とする液晶表示装置。
【発明の効果】
【００３０】
本発明によると、少ない部材でＵ字状の陰極管を、ずれたり、振動したりしないように、取り付けることができる液晶表示装置を提供することができる。
【００３１】
また本発明によると、前記Ｕ字状の陰極管が取り付けられえる部分を簡単な形状で形成することで、取付用の部材を減らすとともに、金型の形状も簡略化することができ、それだけ、製造コストを低減することができる液晶表示装置を提供する。
【発明を実施するための最良の形態】
【００３２】
以下に本発明の実施形態を図面を参照して説明する。図１は本発明にかかる液晶表示装置の一例の分解斜視図である。図１に示す液晶表示装置はリヤフレーム１、反射シート２、バックライト３、メインフレーム４、拡散板５、拡散シート６、液晶セル７、ベゼル８がこの順番に積層されている。
【００３３】
リヤフレーム１金属板を切り曲げて形成されているものであり、矩形状の底面１１と、底面１１の長辺側の端部より、外側に向けて斜めに立ち上がる立ち上がり部１２と、底面１１と平行になるように立ち上がり部１２の先端と一体に形成された支持部１３とが形成されている。立ち上がり部１２及び支持部１３は底面１１の２つの長辺のいずれにも形成されているものである。
【００３４】
反射シート２はリヤフレーム１に取り付けられるものであり、底面１１と密着する本体部２１と、立ち上がり部１２の内面と密着する接続部２２と、支持部１３と密着する係合部２３とを備えている。反射シート２はバックライト３より出射される光のうちケース１側に向けて出射される光を液晶セル６側に反射するためのものである。
【００３５】
バックライト３は液晶表示装置の光源であり、陰極管３０と、陰極管３０の端部に取り付けられたソケット３１とを有している。ソケット３１には、陰極管３０に電力を供給するための電線が取り付けられている。陰極管３０は互いに平行する２本の長尺の長管部３０１と、２本の長管部３０１どうしを接続する短尺の短管部３０２とを有するＵ字状の管体である。２本の長管部３０１とそれらを接続する短管部３０２にて、Ｕ字状の折り返し部３２が形成されている。バックライト３はそれには限定されないがここでは、陰極管３０を３個備えたものである。
【００３６】
メインフレーム４は、リヤフレーム１内に挿入される矩形枠状を有するものであり、下部（リヤフレーム１側）に開口部及び開口部に取り付けられたソケット３１が挿入される第１支持部４１と、Ｕ字状の折り返し部３２が支持される第２支持部４２とを有している。
【００３７】
メインフレーム４の上部は、段差を有しており、拡散板５及び拡散シート６はこの段差部に挿入されることで、取り付けられる。さらに、メインフレーム４の上部には拡散シート６と接触しないように液晶セル７を配置するためのスペーサが形成されている。
【００３８】
拡散板５及び拡散シート６は矩形状を有しており、反射シート２で反射された光及びバックライト３より出射された光を拡散させる部材である。拡散板５はメインフレーム４に形成されている段差部に係合されている。拡散板５はバックライト３より出射された光及び反射シート２にて反射された光の強度を均一化するものである。拡散シート６は拡散板５からの光の均一度をよりいっそう高めるためのものである。
【００３９】
拡散板５及び拡散シート６で拡散された光は液晶セル７に照射される。液晶セル７は透明電極が配置されたガラス基板の間に液晶が封入されている。液晶セル７は長方形状を有しており、一方のガラス基板の一方の長辺部にはゲートドライバが取り付けられたゲート基板７１がフレキシブル基板７０を介して取り付けられている。また、他方のガラス基板の一方の短辺部にはソースドライバが取り付けられたソース基板７２がフレキシブル基板７０を介して取り付けられている。
【００４０】
ベゼル８は中央に形成された開口部８０を有している。ベゼル８は図示を省略したボルトを用いてメインフレーム４と連結固定されるものであり、それには限定されないが、ここでは、金属板を切り曲げて形成されるものである。ベゼル８がメインフレーム４に取り付けられることで、メインフレーム４に配置された拡散板５、拡散シート６及び液晶セル７の側端部が押えられる。
【００４１】
本発明の主要部であるメインフレームについてさらに詳しく説明する。図２はメインフレームの底面図であり、図３はメインフレームの第２支持部を拡大したものを下方から見た斜視図であり、図４はであり、図５は第２支持部の断面図である。
【００４２】
図２に示すように、メインフレーム４の第１支持部４１は、下方に向かって開かれた断面四角形状の筒状部であり、長管部３０１の開口部に取り付けられたソケット３１が内挿される。これにより、ソケット３１及びソケット３１に取り付けられている長管部３０１はメインフレーム４の下部に保持される。
【００４３】
図３、図４に示すように、第２支持部４２はメインフレーム４の下方に形成されるものであり、コの字状の枠体４２１と、コの字状の枠体４２１の中央に配置された係止部４３と、係止部４３をはさんで配置された台座部４２２とを有している。枠体４２１、係止部４３及び台座部４２２はメインフレーム４と一体に形成されている。
【００４４】
図３、図５に示すように、係止部４３は、メインフレーム４の下面より突出する保持部４３１と、保持部４３１の先端に保持部４３１に対して直交するように形成された係合部４３２とを有している。係合部４３２は、第１支持部４１と反対側、図３、図５ではコの字状の枠体４２１の方に伸びている。
【００４５】
係合部４３２は上面に曲面４３３が形成されており、先端部が保持部４３１側よりも細くなる段差が形成されている。また、台座部４２２は下面に曲面４２３が形成されており、第１支持部４１と反対側が細い段差が形成されている。
【００４６】
図３、図４に示すように、陰極管３０のＵ字状の折り返し部３２を第２支持部４２に取り付けたとき、長管部３０１の短管部３０２との接続部近傍は、コの字状の枠体４２１と側部が当接している。また、短管部３０２は上部が台座部４２２の曲面４２３と当接するとともに、下部が係合部４３２の曲面４３３と当接することで支持されている。
【００４７】
また、Ｕ字状の折り返し部３２を取り付けるときは短管部３０２を係合部４３２の先端部とメインフレーム４の壁面との間の空間４ｓを通し、陰極管３０を短管部３０２が第１支持部４１側に動くように移動させる。そして、短管部３０２を、上部が台座部４２２の曲面４２３と当接され、下部が係合部４３２の曲面４３３と当接したときに、短管部３０２を中心に長管部３０１を回転させ、長管部３０１の先端に取り付けられたソケット３１を第１支持部４１に挿入する。これにより、陰極管３０はメインフレーム４に取り付けられる。
【００４８】
このように、陰極管３０はＵ字状の折り返し部３２を第２支持部４２で支持することで、陰極管３０がずれるのを抑制することができ、それだけ、バックライト３の性能を安定させることができる。また、上述したように、短管部３０２をはめ込みスライドさせることで、がたつかないように支持することができるので、取付が容易であり、それだけ、組み立てにかかる時間を削減することが可能である。
【００４９】
図６は第２支持部の他の例の断面図である。図６に示す第２支持部４４は係合部４４２の上面に曲面４４３が形成されているが、段差になっていないものである。すなわち、係合部４４２の先端部の上部に逆戻りを防止するための盛り上がり部４４４が形成されている。それ以外の部分は図３、４、５等に示す第２支持部と同じ形状を有している。
【００５０】
図６に示す第２支持部４４に陰極管３０の短管部３０２を取り付ける場合、係止部４４１を弾性変形させ、短管部３０２を曲面４４３と当接する部分に移動させた後、弾性変形を元に戻すことで、陰極管３０を支持することができるとともに、ずれて脱落するのを抑制することができる。
【００５１】
上述の実施例では、係合部及び台座部のいずれにも曲面が形成されており、その曲面と当接することで、陰極管の短管部を支持する第２支持部を例に説明しているが、それに限定されるものではなく、係合部又は台座部のいずれか一方に曲面が形成されているものであってもよい。
【００５２】
また、液晶表示装置として、光源であるバックライト３を３個備えたものを例に説明しているが、それに限定されるものではなく、液晶セル６に十分且つ偏らないように光を入射させることができる個数のものを広く採用することができる。
【００５３】
以上、発明の実施形態を具体的に説明したが、本発明は上記実施形態に限定するものではなく、その要旨を逸脱しない範囲で種々変更可能である。
【産業上の利用可能性】
【００５４】
本発明は、液晶ディスプレイ等の液晶表示装置において適用することができる。
【図面の簡単な説明】
【００５５】
【図１】本発明にかかる液晶表示装置の一例の分解斜視図である。
【図２】図１に示す液晶表示装置のメインフレームの底面図である。
【図３】図２に示すメインフレームの第２支持部を拡大したものを下方から見た斜視図である。
【図４】図３に示す第２支持部の底面図である。
【図５】図３に示す第２支持部の断面図である。
【図６】第２支持部の他の例の断面図である。
【図７】従来の液晶表示装置の分解斜視図である。
【図８】図７に示す液晶表示装置のバックライトの取付部を拡大した底面図である。
【符号の説明】
【００５６】
１  リヤフレーム
１１  底面
２  反射シート
３  バックライト
３０  陰極管
３１  ソケット
４  メインフレーム
４１  第１支持部
４２  第２支持部
５  拡散板
６  拡散シート
７  液晶セル
７１  ゲート基板
７２  ソース基板
８  ベゼル
【図１】
2008116494.tif 000003
【図２】
2008116494.tif 000004
【図３】
2008116494.tif 000005
【図４】
2008116494.tif 000006
【図５】
2008116494.tif 000007
【図６】
2008116494.tif 000008
【図７】
2008116494.tif 000009
【図８】
2008116494.tif 000010